(57)【要約】      （修正有）【課題】はがした後の作業を、同じ器具で迅速に、かつ調理素材の形状を損ねずムラなく焼くようにひっくり返す際にそれを挟み込んで再び熱せられたフライパンもしくは網焼きレンジなどで乗せ直すための器具を提供する。【解決手段】ターナーと兼用出来るトングであり、その形状として通常のサイズの２枚のターナーを蝶番で固定・開閉出来るように繋げた、２枚のトング部が重なると１枚の完全なターナーになるというターナートング。【選択図】図１
0003138971.tif 000002
【実用新案登録請求の範囲】
【請求項１】
同考案におけるフライ返し（ターナー）兼用トングの形状として、
（１）フライパンや、網焼きグリルなどに焼き付く魚や肉類をはがすフライ返し（ターナー）と、
（２）はがされた魚、肉類の料理素材をつかんでひっくり返すトングとしての機能を兼ね備えた商品案である。
【考案の詳細な説明】
【技術分野】
【０００１】本考案は、ターナーもしくはフライ返しを使用する際、フライパンもしくは網焼きグリルなどにはりついた魚・肉類の料理素材をはがし、同じ器具である同製品で、それらの料理素材をひっくり返す機能として、挟み込むトング機能を兼ね備えた商品である。
【背景技術】
【０００２】今までは、フライパンもしくは網焼きグリルなどに焼きついた魚もしくは肉類などの料理素材をターナーもしくはフライ返しではがしても、その場ですぐにひっくり返し裏側を焼くことがひとつの器具では出来なかった。また、通常のトングや調理用の箸では、それらをうまく掴みにくく、上記料理素材をそのまま包み込むように挟み、ひっくり返す器具が必要と思われた。同製品は、それらをすべて包括的にひとつの器具で行える画期的な商品として便利であり、そうした今までのニーズに基づき考案された商品案である。
【考案の開示】
【考案の解決しようとする課題】
【０００３】同考案は複数の調理器具をひとつにしたものであり、通常のトングとは掴む部分を耐熱性にしなければならない。ターナー部に使用されるスチールもしくは耐熱ナイロンを用いれば問題ない。また、トング部とターナー部が兼用であるため、挟み込んだ際に掴む対象素材がすべり落ちないような工夫が必要であり、そのためにトング部に当たる下部は、多少の凹凸をつける必要性もある。
また、ターナーもしくはフライ返しとして使用する際に一枚状にしないと、使いづらくなるので、取手上部に開かないようにするストッパーを装着する必要性もある。
【課題を解決するための手段】
【０００４】同考案は単なるターナーもしくはフライ返しと、トングの混合案ではない。両方の長所を含めた考案をさらに使用勝手良く検討された考案であり、ここで機能するトング部も単なるトングではなく、調理素材のかたちを崩さないでひっくり返すことのできる形状にする必要性がある。そのため機能性を重視したデザインや素材が求められる。
【考案の効果】
【０００５】同考案はいくつかの調理用器具の要素をひとつにしたものである。トングとターナーがひとつになることによって、また、通常のトングよりも調理素材をひっくり返しやすい大きさの受け皿部によって返し易くなる効果もあり、調理を効率的にスムーズに行う役目を果たす。
【考案を実施するための最良の形態】
【０００６】同考案をよりよい状態で使用するには、まず
１．高熱でも問題のないターナーもしくはトング部となる素材を用いること。
２．同製品をターナーもしくはフライ返しとして使用する際に、上下部が開かないようにストッパーなどで完全に２枚状の製品が１枚状となることが不可欠である。
【実施例】
【０００７】主に家庭における台所で用いられると思われるが、業務用としてもニーズがあると思われる。
【図面の簡単な説明】
【０００８】
【図１】は同考案全体のイメージデザインであり、イメージ図において▲１▼と▲２▼を▲３▼の蝶番で繋げた考案である。
【図２】は［図１］より底面から見た図
【図３】は［図１］より上部から見た図
【図４】は同考案製品を横から見た図である。
【符号の説明】
【０００９】▲１▼  ターナー（フライ返し）およびトング部上部
▲２▼  ターナー（フライ返し）およびトング部下部
▲３▼  蝶番部
▲４▼  ストッパー部
【図１】
0003138971.tif 000003
【図２】
0003138971.tif 000004
【図３】
0003138971.tif 000005
【図４】
0003138971.tif 000006
【手続補正書】
【提出日】平成19年6月8日(2007.6.8)
【手続補正１】
【補正対象書類名】実用新案登録請求の範囲
【補正対象項目名】全文
【補正方法】変更
【補正の内容】
【実用新案登録請求の範囲】
【請求項１】
同考案は、ターナー兼用トングの形状として、フライパンや、網焼きグリルなどに焼き付く魚や肉類をはがす、通常使用されている一般的なサイズのフライ返し（ターナー）が２枚重なり合っており、これら２枚のターナーを蝶番化された部分の固定金具をリリースすることによって、食材、つまりはがされた魚、肉類の料理素材をつかんでひっくり返すトングとしての機能を兼ね備えたキッチン用品２種をひとつのツールとして纏めたものである。通常トングとして使用される際は２枚のプレート状の平板で肉や魚などの食材を挟み込むのであるが、ターナーとして使用する際には取手部分に装着された固定金具により開閉部が固定されることにより、２枚の平板が重なり、一枚の平板状になるので、その際には通常のターナーのように使用する点において完全にふたつの用途の製品を完全に使い分けられるところに同考案の新規性がある。
【手続補正２】
【補正対象書類名】明細書
【補正対象項目名】全文
【補正方法】変更
【補正の内容】
【考案の詳細な説明】
【技術分野】
【０００１】本考案は、ターナーもしくはフライ返しを使用する際、フライパンもしくは網焼きグリルなどにはりついた魚・肉類の料理素材をはがし、同じ器具である同製品で、それらの料理素材をひっくり返す機能として、挟み込むトング機能を兼ね備えた商品である。
【背景技術】
【０００２】今までは、フライパンもしくは網焼きグリルなどに焼きついた魚もしくは肉類などの料理素材をターナーもしくはフライ返しではがしても、その場ですぐにひっくり返し裏側を焼くことがひとつの器具では出来なかった。また、通常のトングや調理用の箸では、それらをうまく掴みにくく、上記料理素材をそのまま包み込むように挟み、ひっくり返す器具が必要と思われた。同製品は、それらをすべて包括的にひとつの器具で行える画期的な商品として便利であり、そうした今までのニーズに基づき考案された商品案である。
【考案の開示】
【考案の解決しようとする課題】
【０００３】同考案は複数の調理器具をひとつにしたものであり、通常のトングとは掴む部分を耐熱性にしなければならない。ターナー部に使用されるスチールもしくは耐熱ナイロンを用いれば問題ない。また、トング部とターナー部が兼用であるため、挟み込んだ際に掴む対象素材がすべり落ちないような工夫が必要であり、そのためにトング部に当たる下部は、多少の凹凸をつける必要性もある。また、ターナーもしくはフライ返しとして使用する際に一枚状にしないと、使いづらくなるので、取手上部に開かないようにするストッパーを装着する必要性もある。
【課題を解決するための手段】
【０００４】同考案は単なるターナーもしくはフライ返しと、トングの混合案ではない。両方の長所を含めた考案をさらに使用勝手良く検討された考案であり、ここで機能するトング部も単なるトングではなく、調理素材のかたちを崩さないでひっくり返すことのできる形状にする必要性がある。そのため機能性を重視したデザインや素材が求められる。
【考案の効果】
【０００５】同考案はいくつかの調理用器具の要素をひとつにしたものである。トングとターナーがひとつになることによって、また、通常のトングよりも調理素材をひっくり返しやすい大きさの受け皿部によって返し易くなる効果もあり、調理を効率的にスムーズに行う役目を果たす。
【考案を実施するための最良の形態】
【０００６】同考案をよりよい状態で使用するには、トングとターナーがそれぞれ完全に用途を別々に使用できることが同案の新規性であり、ターナーとして使用する際は、上下部が開かないようにストッパーで完全に２枚状の製品が１枚状となることが不可欠である。また、素材的には高熱でも問題のないターナーもしくはトング部となる素材を用いることが望まれる。
【実施例】
【０００７】主に家庭における台所で用いられると思われるが、業務用としてもニーズがあると思われる。
【図面の簡単な説明】
【０００８】
【図１】は同考案全体のイメージデザインであり、イメージ図において▲１▼と▲２▼を▲３▼の蝶番で繋げた考案の斜視図である。
【図２】は［図１］の斜視図より底面から見た図
【図３】は［図１］の斜視図より上部から見た図
【図４】は同考案製品を横から見た図である。
【符号の説明】
【０００９】▲１▼ターナー（フライ返し）およびトング部上部▲２▼ターナー（フライ返し）およびトング部下部▲３▼蝶番部▲４▼ストッパー部
【手続補正書】
【提出日】平成19年10月19日(2007.10.19)
【手続補正１】
【補正対象書類名】実用新案登録請求の範囲
【補正対象項目名】全文
【補正方法】変更
【補正の内容】
【実用新案登録請求の範囲】
【請求項１】
同考案は、ターナーと兼用出来るトングであり、その形状として通常のサイズの２枚のターナーを蝶番で固定・開閉出来るように繋げた、２枚のトング部が重なると１枚の完全なターナーになるというターナートング。